(57)【要約】【課題】左右の両手用杖を１つにまとめるときの連結を強くし、運搬や収納に適するだけでなく、歩行用に供する片手用杖として使用でき、使用による経年変化が生じても１つにまとめることができる片手両手兼用杖の提供。【解決手段】左手用杖１ａおよび右手用杖１ｂの握り部２ａ、２ｂにそれぞれ異極性の永久磁石４ａ、４ｂを、また接地部７ａ、７ｂにそれぞれ異極性の永久磁石９ａ、９ｂを埋め込み、永久磁石４ａには窪み５ａを、永久磁石４ｂにはネジ５ｂを設ける構成とする。【選択図】図１
0003122709.tif 000002
【実用新案登録請求の範囲】
【請求項１】
握り部と、本体部と、接地部とを有する左手用杖と、前記握り部、前記本体部および前記接地部とが左右対称に配置された右手用杖とを備え、歩行用に供する片手両手兼用杖であって、
前記左手用杖および前記右手用杖の前記握り部の内側に設けられる、互いに異極性の第一の磁石部と、
前記左手用杖および前記右手用杖の前記接地部の内側に設けられる、互いに異極性の第二の磁石部と、
前記左手用杖または前記右手用杖のいずれか一方の前記第一の磁石部に設けられる凸部と、
前記凸部が設けられた前記左手用杖または前記右手用杖の他方の前記第一の磁石部に、該凸部と嵌合するよう設けられる凹部と、
を有することを特徴とする片手両手兼用杖。
【請求項２】
請求項１に記載の片手両手兼用杖において、前記凸部は、前記第一の磁石部を前記握り部に固定するネジ状部材であることを特徴とする片手両手兼用杖。
【考案の詳細な説明】
【技術分野】
【０００１】
本考案は、歩行用に供する片手両手兼用杖に関する。
【背景技術】
【０００２】
従来、歩行用に供する杖としては、片手用の杖が広く使用されている。しかし、例えば、座位から立位への移行のように、左右に同等の負荷をかけ立ち上がる動作の場合、片手用の杖ではバランスを崩しやすく、転倒などを引き起こすおそれがある。このため、両手用の杖を使用する場合も増えている。両手用の杖は、前記のような座位から立位への移行のときにバランスがとりやすく、また歩行中においても、片手用杖では十分な補助を得られない使用者にとっては利用しやすい。
【０００３】
ところが両手用杖では、両手が杖の使用でふさがってしまい、他の作業をするのに不便を感じることがある。この場合、左右２本の両手用杖を、ひも状部材でくくったり、スナップ状部材で連結したりして１つにまとめることで、片手で持てるようにしたものが提案されている。
【考案の開示】
【考案が解決しようとする課題】
【０００４】
しかしながら、前記従来例の両手用杖においては、左右の両手用杖を１つにまとめることは、運搬や収納を目的としたものであり、歩行用に供する片手用杖としての使用は付随的なものである。このため、片手用杖として使用できるのは短時間となっている。
【０００５】
本考案は、以上の点に着目してなされたもので、左右の両手用杖を１つにまとめるときの連結を強くし、運搬や収納に適するだけでなく、歩行用に供する片手用杖として使用でき、使用による経年変化が生じても１つにまとめることができる片手両手兼用杖を提供することを目的とする。
【課題を解決するための手段】
【０００６】
この考案は下記の構成を備えることにより上記課題を解決できるものである。
【０００７】
（１）握り部と、本体部と、接地部とを有する左手用杖と、前記握り部、前記本体部および前記接地部とが左右対称に配置された右手用杖とを備え、歩行用に供する片手両手兼用杖であって、前記左手用杖および前記右手用杖の前記握り部の内側に設けられる、互いに異極性の第一の磁石部と、前記左手用杖および前記右手用杖の前記接地部の内側に設けられる、互いに異極性の第二の磁石部と、前記左手用杖または前記右手用杖のいずれか一方の前記第一の磁石部に設けられる凸部と、前記凸部が設けられた前記左手用杖または前記右手用杖の他方の前記第一の磁石部に、該凸部と嵌合するよう設けられる凹部とを有することを特徴とする片手両手兼用杖。
【０００８】
（２）前記（１）に記載の片手両手兼用杖において、前記凸部は、前記第一の磁石部を前記握り部に固定するネジ状部材であることを特徴とする片手両手兼用杖。
【考案の効果】
【０００９】
本考案によれば、左右の両手用杖を１つにまとめるときの連結を強くし、運搬や収納に適するだけでなく、歩行用に供する片手用杖として使用できる。また、両手用杖の握り部で凸部、凹部の点接合による位置決めができ、接地部では面接合にすることで、使用による経年変化が生じても、１つにまとめることができる。
【考案を実施するための最良の形態】
【００１０】
以下本考案を実施するための最良の形態を、実施例により詳しく説明する。
【実施例】
【００１１】
本考案の実施例を、図面を用いて詳しく説明する。
【００１２】
図１は、本実施例の片手両手兼用杖の全体概観斜視図である。
【００１３】
図１において、１ａは左手用杖である。２ａは左手用杖１ａの握り部、３ａは握り部２ａの内側の面であり、以降、握り部内側面３ａとする。握り部内側面３ａには永久磁石４ａ（第一の磁石部に相当）が埋め込まれ、本実施例の片手両手兼用杖を片手用杖として使用するとき、後述の右手用杖１ｂの永久磁石４ｂと磁力により接合する。６ａは左手用杖１ａの本体部、７ａは接地部である。８ａは接地部７ａの内側の面であり、以降、接地部内側面８ａとする。接地部内側面８ａには永久磁石９ａ（第二の磁石部に相当）が埋め込まれ、後述の右手用杖１ｂの永久磁石９ｂと磁力により接合する。
【００１４】
一方、１ｂは右手用杖である。２ｂは右手用杖１ｂの握り部、３ｂは握り部２ｂの内側の面であり、以降、握り部内側面３ｂとする。握り部内側面３ｂには永久磁石４ｂ（第一の磁石部に相当）が埋め込まれる。永久磁石４ｂは、左手用杖１ａの永久磁石４ａとは異極性であり、本実施例の片手両手兼用杖を片手用杖として使用するとき、磁力により永久磁石４ａと接合する。６ｂは右手用杖１ｂの本体部、７ｂは接地部である。８ｂは接地部７ｂの内側の面であり、以降、接地部内側面８ｂとする。接地部内側面８ｂには永久磁石９ｂ（第二の磁石部に相当）が埋め込まれる。永久磁石９ｂは、左手用杖１ａの永久磁石９ａとは異極性であり、磁力により永久磁石９ａと接合する。
【００１５】
次に、図２を用いて永久磁石４ａ，４ｂについて詳しく説明する。
【００１６】
図２（ａ）は、左手用杖１ａの永久磁石４ａおよび右手用杖１ｂの永久磁石４ｂの要部拡大断面図である。左手用杖１ａの永久磁石４ａには、窪み５ａ（凹部に相当）を設ける。一方、右手用杖１ｂの永久磁石４ｂは、ネジ５ｂ（ネジ状部材に相当）により握り部２ｂにネジ留めし固定する。
【００１７】
図２（ｂ）は、左手用杖１ａと右手用杖１ｂの永久磁石４ａ，４ｂを接合し、片手用杖として使用するときの要部拡大断面図である。本実施例の片手両手兼用杖においては、永久磁石４ａ，４ｂの面が接合するだけでなく、窪み５ａとネジ５ｂのネジ頭（凸部に相当）が嵌合する。このように窪み５ａとネジ５ｂが点接合することにより、握り部２ａ，２ｂが片手用杖の握り部として一体となり使用できるよう位置決めおよび固定の役割を果たす。これにより、永久磁石４ａ，４ｂの接合面で上下左右にずれることを防止する。また、握り部２ａ，２ｂに永久磁石４ａ，４ｂと窪み５ａ、ネジ５ｂを設けることにより、片手用杖として使用したとき、使用者の手の握力が加わり、連結がより強くなる。
【００１８】
また、接地部７ａ，７ｂに永久磁石９ａ，９ｂを設けることにより、接地部７ａ，７ｂに生じるずれ、すなわち、窪み５ａとネジ５ｂの嵌合点を中心とした円運動によるずれを防止する。なお、永久磁石９ａ、９ｂは面接合のみとすることで、左手用杖１ａと右手用杖１ｂのそれぞれに、長時間の使用によるゆがみ等の経年変化が生じても、１つにまとめることができる。
【００１９】
以上のように、握り部２ａ，２ｂに永久磁石４ａ，４ｂを設け、永久磁石４ａに窪み５ａを、永久磁石４ｂにネジ５ｂを設けることにより位置決めをすることができ、両手用杖を片手用杖として歩行用に供することができる。また、接地部７ａ，７ｂに永久磁石９ａ，９ｂを設けることで、経年変化が生じても、左手用杖１ａと右手用杖１ｂを１つにまとめることができる。
【００２０】
なお、本実施例では、左手用杖１ａに窪み５ａを、右手用杖１ｂにネジ５ｂを設けたが、それぞれ逆に設けてもよい。また、凸部をネジ５ｂのネジ頭としたが、凸形状であれば、これに限定するものではない。
【図面の簡単な説明】
【００２１】
【図１】本実施例に係る片手両手兼用杖の全体概観斜視図
【図２】（ａ）永久磁石に設けた窪みとネジの要部拡大断面図、（ｂ）永久磁石を接合して窪みとネジを嵌合し、片手用杖として使用するときの要部拡大断面図
【符号の説明】
【００２２】
１ａ        左手用杖
１ｂ        右手用杖
２ａ，２ｂ  握り部
３ａ，３ｂ  握り部内側面
４ａ，４ｂ  永久磁石（第一の磁石部に相当）
５ａ        窪み（凹部に相当）
５ｂ        ネジ（凸部、ネジ状部材に相当）
６ａ，６ｂ  本体部
７ａ，７ｂ  接地部
８ａ，８ｂ  接地部内側面
９ａ，９ｂ  永久磁石（第二の磁石部に相当）
【図１】
0003122709.tif 000003
【図２】
0003122709.tif 000004